(57)【要約】      （修正有）【課題】除湿機の空気進入及び空気排出の効率を高め、冷風、暖風、除湿、乾燥及び清浄の効果を具える多機能除湿機構造の提供。【解決手段】機体には正面と両側に吸込口が設置され、上方には制御パネル、風向き調節器、ハンドルが設置され、後方には熱風出風口が設置される。蒸発器は正面の吸込口の後方に設置される。送風機構は蒸発器後方に設置され、この送風機構は軸流扇、伝動モータ、回転羽が設置され、伝動モータ前端には軸流扇が結合され、別一端には回転羽が結合され、更に軸流扇は風向き調節器下方に対応する。集水装置は、集水盤及び水槽が設置され、この集水盤は機体中央位置に横向に設置され、そこに凝結水が集められる。この集水盤下方に自動もしくは手動開閉機構が設置され、水槽は集水盤下方に設置される。圧縮機は進入した空気を蒸発器が冷やし、その冷えた空気を放熱器が水分子に凝結させるエネルギー転換を提供する。【選択図】図１
0003124280.tif 000002
【実用新案登録請求の範囲】
【請求項１】
主に機体、蒸発器、送風機構、放熱器、集水装置、圧縮器から構成された多機能除湿機構造において、
少なくとも一つの吸込口を設置し、上方には制御パネル及び風向き調節器、後方には熱風出風口を設置する機体と、
正面の吸込口後方に設置する蒸発器と、
蒸発器後方に設置し、軸流扇、伝動モータ及び回転羽を含み、伝動モータ前端に軸流扇を結合し、別一端には回転羽を結合し、且つ軸流扇葉風向き調節器下方に対応する送風機構と、
回転羽の後方に設置する放熱器と、
集水盤と水槽から構成され、集水盤は機体中央位置に横向に設置して凝結水を収集し、集水盤下方には開閉機構を設置し、水槽は集水盤下方に設置する集水装置と、
蒸発器が進入した空気を冷やし、その冷えた空気を放熱器が水分子に凝結させるエネルギー転換を提供する圧縮機から構成されることを特徴とする多機能除湿機構造。
【請求項２】
請求項１記載の多機能除湿機構造において、前記吸込口は、フィルターを設置して入ってきた風を濾過することを特徴とする多機能除湿機構造。
【請求項３】
請求項１記載の多機能除湿機構造において、前記風向き調節器は、回転羽調節弁、モータ、スイッチを設置し、モータが回転羽の開閉を駆動し、スイッチが回転羽の調節弁を制御して調節弁の開口の大きさや角度を調節することを特徴とする多機能除湿機構造。
【請求項４】
請求項１記載の多機能除湿機構造において、前記機体は、手動スイッチを設置して手動で進入する風量を制御することを特徴とする多機能除湿機構造。
【請求項５】
請求項１記載の多機能除湿機構造において、前記集水盤下方に設置する開閉機構は、モータ及び調節弁を設置し、モータが動いて調節弁を連動し、調節弁の開閉を制御することを特徴とする多機能除湿機構造。
【請求項６】
請求項１記載の多機能除湿機構造において、前記回転羽は、数片のプロペラを設置して集水液が一定の水位に達した時、回転羽の外縁が回転して放熱器に水をかけ、且つ回転羽で直接放熱器に上に吹きかけ、機体内部の放熱を強化することを特徴とする多機能除湿機構造。
【請求項７】
請求項１記載の多機能除湿機構造において、前記回転羽は、羽の外縁に環状片体を設置し、集水液面が一定水位に達した時、回転羽外縁の環状片体で放熱器上に吹きかけ、機体内部の放熱を強化することを特徴とする多機能除湿機構造。
【請求項８】
請求項１記載の多機能除湿機構造において、前記機体は、正面の吸込口と両側に吸込口が設置されることを特徴とする多機能除湿機構造。
【請求項９】
請求項１記載の多機能除湿機構造において、前記機体は、上方にハンドルを設置することを特徴とする多機能除湿機構造。
【考案の詳細な説明】
【技術分野】
【０００１】
本考案は、多機能除湿機構造に関するもので、機体、蒸発器、送風機構、放熱器、除湿装置及び圧縮機の集合設計により、入風、出風効率を高め、冷風、暖風、除湿、乾燥及び清浄等の効果を兼ね備える。
【背景技術】
【０００２】
公知の除湿機構造は、主に機体前壁上の吸込口から周辺の空気を吸上げ、機体内で空気中の余分な水分を除去し、乾燥した空気を機体最上面の噴出し口から排出する。空気の循環により、空気中の湿度は徐々に下がり、また機体内で凝結した水は、機体底部の水槽内に集められる。
【考案の開示】
【考案が解決しようとする課題】
【０００３】
本考案の主な目的は、多機能除湿機構造を提供することにある。機体、蒸発器、送風機構、放熱器、集水装置及び圧縮器を組立て、除湿機の吸込み、出風効率を高めて除湿機に冷風、暖風、除湿、乾燥及び清浄効果を提供し、全体の実用性、便利性を大幅に向上させる。
【０００４】
本考案の別の目的は、冷風機能の時に、多機能除湿機構造構造を提供することで、そのうちの一つは、回転羽の羽外縁には環状片体が設置されて集水液面が一定水位に達すると、回転羽外縁の環状片体が回転して放熱器に水をかける。二つは回転羽が放熱器上に直接吹きかけて機体内部の放熱効果を強化し、実用性と機能性を高める。
【０００５】
本考案の別の目的は、多機能除湿機構造を提供することにより、回転羽の外縁が回転して放熱器上に水をかけて機体内部の放熱効果を強化し、更に別の目的は、吸込口にフィルターを設置して空気を清浄にして、実用性を高める。
【０００６】
上述の目的を達成するため、本考案の多機能除湿機構造は、機体、蒸発器、送風機構、放熱器、集水装置及び圧縮器を含む。この機体は、正面に一つの吸込口、両側に各々一つの吸込口を設置し、上方には制御パネル及び風向き調節器及びハンドルを設置し、後方には熱風出風口を設置する。蒸発器は、正面の吸込口後方に設置する。送風機構は、蒸発器後方に設置し、軸流扇、伝動モータ及び回転羽を含み、この送風機構の伝動モータ前端には軸流扇を結合し、別一端には回転羽を結合し、且つ軸流扇葉風向き調節器下方に対応する。放熱器は、回転羽の後方に設置する。集水装置は、集水盤と水槽から構成され、集水盤は機体中央位置に横向に設置して凝結水を収集し、集水盤下方には開閉機構を設置し、水槽は集水盤下方に設置する。圧縮器は、蒸発器が空気を冷やし、その冷えた空気を放熱器が水分子に凝結するエネルギーに転換する。これらによって、多機能除湿機構造の吸い込みと出風効率を高め、良好な冷風、暖風、除湿、乾燥及び清浄を提供する。
【課題を解決するための手段】
【０００７】
請求項１の考案は、主に機体、蒸発器、送風機構、放熱器、集水装置、圧縮器から構成された多機能除湿機構造において、
少なくとも一つの吸込口を設置し、上方には制御パネル及び風向き調節器、後方には熱風出風口を設置する機体と、
正面の吸込口後方に設置する蒸発器と、
蒸発器後方に設置し、軸流扇、伝動モータ及び回転羽を含み、伝動モータ前端に軸流扇を結合し、別一端には回転羽を結合し、且つ軸流扇葉風向き調節器下方に対応する送風機構と、
回転羽の後方に設置する放熱器と、
集水盤と水槽から構成され、集水盤は機体中央位置に横向に設置して凝結水を収集し、集水盤下方には開閉機構を設置し、水槽は集水盤下方に設置する集水装置と、
蒸発器が進入した空気を冷やし、その冷えた空気を放熱器が水分子に凝結させるエネルギー転換を提供する圧縮機から構成されることを特徴とする多機能除湿機構造としている。
請求項２の考案は、請求項１記載の多機能除湿機構造において、前記吸込口は、フィルターを設置して入ってきた風を濾過することを特徴とする多機能除湿機構造としている。
請求項３の考案は、請求項１記載の多機能除湿機構造において、前記風向き調節器は、回転羽調節弁、モータ、スイッチを設置し、モータが回転羽の開閉を駆動し、スイッチが回転羽の調節弁を制御して調節弁の開口の大きさや角度を調節することを特徴とする多機能除湿機構造としている。
請求項４の考案は、請求項１記載の多機能除湿機構造において、前記機体は、手動スイッチを設置して手動で進入する風量を制御することを特徴とする多機能除湿機構造としている。
請求項５の考案は、請求項１記載の多機能除湿機構造において、前記集水盤下方に設置する開閉機構は、モータ及び調節弁を設置し、モータが動いて調節弁を連動し、調節弁の開閉を制御することを特徴とする多機能除湿機構造としている。
請求項６の考案は、請求項１記載の多機能除湿機構造において、前記回転羽は、数片のプロペラを設置して集水液が一定の水位に達した時、回転羽の外縁が回転して放熱器に水をかけ、且つ回転羽で直接放熱器に上に吹きかけ、機体内部の放熱を強化することを特徴とする多機能除湿機構造としている。
請求項７の考案は、請求項１記載の多機能除湿機構造において、前記回転羽は、羽の外縁に環状片体を設置し、集水液面が一定水位に達した時、回転羽外縁の環状片体で放熱器上に吹きかけ、機体内部の放熱を強化することを特徴とする多機能除湿機構造としている。
請求項８の考案は、請求項１記載の多機能除湿機構造において、前記機体は、正面の吸込口と両側に吸込口が設置されることを特徴とする多機能除湿機構造としている。
請求項９の考案は、請求項１記載の多機能除湿機構造において、前記機体は、上方にハンドルを設置することを特徴とする多機能除湿機構造としている。
【考案の効果】
【０００８】
本考案の多機能除湿機構造は、除湿機の空気進入及び空気排出の効率を高め、冷風、暖風、除湿、乾燥及び清浄の効果を具え、全体の効率、実用性、便利性を高めるという利点がある。
【考案を実施するための最良の形態】
【０００９】
図１〜３に示すとおり、本考案は多機能除湿機構造であり、その多機能除湿機構造は、機体１０、蒸発器２０、送風機構３０、放熱器４０、集水装置５０、圧縮器６０を含む。
【００１０】
機体１０は、少なくとも一つの吸込口１１(本考案では正面吸込口と両側吸込口が設置される)が設置される。この吸込口１１にはフィルター１１１が設置され、入ってきた風を濾過する。機体１０上には制御パネル１２、風向き調節器１３及び手動スイッチ１３３が設置される。自動の時には風向き調節器１３には回転する回転羽調節弁１３１、モータ１３２が設置され、電子制御方式によってモータ１３２が回転羽調節弁１３１のプロペラ開口と角度を駆動する。また手動方式の場合は、スイッチ１３３で風向き調節器１３と連結し、回転羽調節弁１３１を駆動する。別に機体１０後側には出風口１４が設置される。また機体１０には手動スイッチ１５が設置され、手動で吸込み風量を制御する。
【００１１】
蒸発器２０は、正面の吸込口１１後側に設置する。
【００１２】
送風機構３０は、蒸発器２０の後側に設置する。この送風機構３０には軸流扇３１、伝動モータ３２及び回転羽３３が設置される（そのうちのこの回転羽３３に数片のプロペラ、もしくは数片のプロペラ上に環状片体３４が設置され、集水液面が一定の水位に達した時、この回転羽３３の羽外縁を水に当てて放熱器４０上にかけ、且つこの回転羽３３が直接放熱器４０上に送風し、機体内部の放熱を強化する）。伝動モータ３２前端には軸流扇３１が結合し、別一端には回転羽３３が結合する。更に軸流扇３１は風向き調節器１３下方に対応する。
【００１３】
放熱器４０は、回転羽３３後方に設置される。
【００１４】
集水装置５０には、集水盤５１及び水槽５２が設置され、この集水盤５１は機体１０中央に横向きに設置して凝結水を集め、集水盤５１下方には開閉機構５３が設置され、その開閉機構５３には、モータ５３１及び調節弁５３２が設置され、そのモータ５３１は調節弁５３２に連動し、調節弁５３２の開閉を制御する。また水槽５２は、集水盤５１下方に設置され、その水槽５２には停止装置５２１が設置され、水位が満水状態になると、冷風放熱動作に使用される。
【００１５】
圧縮器６０は、蒸発器２０を冷まして放熱器４０の凝結水分子をエネルギーに転換する。
【００１６】
上述の構造により、多機能除湿機構造は、図１〜５に示すとおり、機体１０、蒸発器２０、送風機構３０、放熱器４０、集水装置５０及び圧縮器６０が組み立てられ、機体へ風の進入、排出の効率を高め、除湿機の機能、実用性、便利性を大幅に高め、最良の除湿と冷風を行う。
【００１７】
除湿運転時、機体１０前方及び両側面の吸込口１１から空気が進入すると、先ず蒸発器２０によって空気を冷却する。この冷却された空気は軸流扇３１を経て上へ流動し、この時風向き調節器１３は閉鎖状態で、その冷却された空気を後へ流し、回転羽３３で後方の放熱器４０へ送る。また放熱器４０により通過した空気分子を凝結、放熱し、機体１０後側の出風口１４から熱風を排出し、空気分子を凝結して水にした後、その水を集水盤５１へ流し入れる。そしてその集水盤５１下方に設置した開閉機構５３は、モータ５３１によって調節弁５３２を連動して調節弁５３２を制御して開き、集水盤５１内の水流を下方の水槽５２へ流し、除湿効果を得る。またこの水槽５２に設置した停止装置５２１により、満水になると、冷風放熱動作を行う。
【００１８】
冷風運転状態の時、機体１０前方及び両側の吸込口１１から空気を吸い込む。先ず蒸発器２０で空気を冷却し、その空気を軸流扇３１から上へ流す。この時、風向き調節器１３は開放状態で、冷やした空気を風向き調節器１３の軸流扇３１の回転羽調節弁１３１から排出し、部屋の温度を下げる。この時、機体１０前方及び両側の吸込口１１から侵入した空気は、一部が回転羽３３を経て後方の放熱器４０へ流れ、放熱器４０を通過した空気分子を凝結及び放熱し、機体１０後方の出風口１４から熱風が排出される。空気分子は凝結して水になった後、集水盤５１内に流れ、その集水盤５１下方に設置した開閉機構５３は、モータ５３１で調節弁５３２を連動し、調節弁５３２を閉鎖する。また集水盤５１内の水は水槽５２に集められ、回転羽３３の羽外縁が集水盤５１の底面上方箇所に隣合い、集水液が一定の水位に達すると、回転羽３３の羽(もしくは数片の羽に設置した環状片体３４)は、回転して飛沫を放熱器上に飛ばす。回転羽から直接放熱器上に風を送ることによって、機体内部の放熱がより強化される。
【００１９】
吸込口１１に設置したフィルター１１１により、進入した空気を浄化する。
【図面の簡単な説明】
【００２０】
【図１】本考案実施例の立体外観図である。
【図２】本考案実施例の立体部品分解図である。
【図３】本考案実施例の除湿状態の動作表示図である。
【図４】本考案実施例の冷風状態の動作表示図である。
【図５】本考案実施例のプロペラ回転の打ち水放熱表示図である。
【符号の説明】
【００２１】
１０        機体
１１        吸込口
１１１        フィルター
１２        制御パネル
１３        風向き調節器
１３１        回転羽調節弁
１３２        モータ
１３３        スイッチ
１４        出風口
１５        手動スイッチ
２０        蒸発器
３０        送風機構
３１        軸流扇
３２        伝動モータ
３３        回転羽
３４        環状片体
４０        放熱器
５０        集水装置
５１        集水盤
５２        水槽
５２１        停止装置
５３        開閉機構
５３１        モータ
５３２        調節弁
６０        圧縮器
【図１】
0003124280.tif 000003
【図２】
0003124280.tif 000004
【図３】
0003124280.tif 000005
【図４】
0003124280.tif 000006
【図５】
0003124280.tif 000007